(57)【要約】【課題】キーワード検索と音声案内とを用いてユーザの操作を支援することにより、快適な操作性を実現した映像音声再生装置を提供することである。【解決手段】映像音声再生装置は、キーワードの入力による操作テーマの検索機能を有し、検索機能が実行され、検索結果の一覧から何れかの操作テーマが選択された場合に、該操作テーマの操作手順を画像及び音声によって案内し、前記画像による案内は、リモコン１３を模した画像上で次に操作すべきボタンを点滅又は点灯させることにより行い、前記音声による案内は、次に操作すべきリモコン１３のボタンの名称を案内することにより行う構成とする。【選択図】図１
2008159213.tif 000002
【特許請求の範囲】
【請求項１】
記録媒体を再生する記録媒体再生部と、リモコンからの信号を受信するリモコン受信部と、画像を出力する画像出力部と、音声を出力する音声出力部と、各部を制御する制御部と、制御に必要な情報を記憶するメモリとを備えた映像音声再生装置において、
前記制御部は、キーワードの入力による操作テーマの検索機能を有し、前記検索機能が実行され、検索結果の一覧から何れかの操作テーマが選択された場合に、該操作テーマの操作手順を画像及び音声によって案内するように制御し、
前記画像による案内は、リモコンを模した画像上で次に操作すべきボタンを点滅又は点灯させることにより行い、
前記音声による案内は、次に操作すべきリモコンのボタンの名称を案内することにより行い、
前記音声による案内を強制的にオン／オフ操作可能とすることを特徴とする映像音声再生装置。
【請求項２】
記録媒体を再生する記録媒体再生部と、リモコンからの信号を受信するリモコン受信部と、画像を出力する画像出力部と、音声を出力する音声出力部と、各部を制御する制御部と、制御に必要な情報を記憶するメモリとを備えた映像音声再生装置において、
前記制御部は、
キーワードの入力による操作テーマの検索機能を有し、画像及び音声によって案内するように制御することを特徴とする映像音声再生装置。
【請求項３】
前記検索機能が実行され、検索結果の一覧から何れかの操作テーマが選択された場合に、前記制御部は、該操作テーマの操作手順を画像及び音声によって案内するように制御することを特徴とする請求項２記載の映像音声再生装置。
【請求項４】
前記音声による案内を強制的にオン／オフ操作可能とすることを特徴とする請求項２又は３記載の映像音声再生装置。
【請求項５】
前記画像による案内は、リモコンを模した画像上で次に操作すべきボタンを点滅又は点灯させることにより行うことを特徴とする請求項２〜４の何れかに記載の映像音声再生装置。
【請求項６】
前記音声による案内は、次に操作すべきリモコンのボタンの名称を案内することにより行うことを特徴とする請求項２〜５の何れかに記載の映像音声再生装置。
【発明の詳細な説明】
【技術分野】
【０００１】
本発明は、映像及び音声が記録された記録媒体を再生する映像音声再生装置に関する。
【背景技術】
【０００２】
近年、映像音声再生装置や映像音声記録再生装置としてＤＶＤレコーダ／プレーヤやＨＤＤレコーダが普及してきており、それに伴い製品の多機能化が進んでいる。多機能化は利便性を向上させるが、同時に操作が複雑化し、機能を十分に使いこなすのが難しくなるという問題も生じさせる。所望の機能を使うためには分厚い取扱説明書を読み、様々なリモコンのボタンを所定の手順で操作しなければならない。そこで、このようなユーザの負担を減らすために様々な技術が提案されている。
【０００３】
例えば特許文献１には、オーディオビデオ機器における連動操作や内部のコントロール処理の一連の操作手順とその進行状況を示すメッセージを表示することが開示されている。また特許文献２には、設定項目をキーワードにより検索することができる家電製品の設定装置が開示されている。
【特許文献１】特開平５−２５２４６１号公報
【特許文献２】特開２００４−１４０５１７号公報
【発明の開示】
【発明が解決しようとする課題】
【０００４】
確かに、キーワードを入力することによって所望の操作を検索できることは、ユーザにとって便利な機能であり使い勝手がよいが、この機能はパソコンでは一般的な機能として搭載されており、更なる快適な操作性が求められている。また、特に老人など視力の悪い人にとって、画面上の文字を読んだり、リモコンボタンの文字を読んだりすることは煩わしいという問題もある。
【０００５】
本発明は、キーワード検索と音声案内とを用いてユーザの操作を支援することにより、快適な操作性を実現した映像音声再生装置を提供することを目的とする。
【課題を解決するための手段】
【０００６】
上記目的を達成するために本発明は、記録媒体を再生する記録媒体再生部と、リモコンからの信号を受信するリモコン受信部と、画像を出力する画像出力部と、音声を出力する音声出力部と、各部を制御する制御部と、制御に必要な情報を記憶するメモリとを備えた映像音声再生装置において、前記制御部は、キーワードの入力による操作テーマの検索機能を有し、画像及び音声によって案内するように制御することを特徴とする。
【０００７】
上記の映像音声再生装置において、前記検索機能が実行され、検索結果の一覧から何れかの操作テーマが選択された場合に、前記制御部は、該操作テーマの操作手順を画像及び音声によって案内するように制御するようにしてもよい。これにより、複雑な操作であっても画像と音声の案内によって支援され、操作性が向上する。
【０００８】
また上記の映像音声再生装置において、前記音声による案内を強制的にオン／オフ操作可能とすることが望ましい。これにより、ユーザは自分の意志で音声案内のオン／オフを切り換えることができ、使い勝手がよい。
【０００９】
また上記の映像音声再生装置において、前記画像による案内は、リモコンを模した画像上で次に操作すべきボタンを点滅又は点灯させることにより行うことが望ましい。これにより、ユーザは一目でどのボタンを操作すべきかわかる。
【００１０】
また上記の映像音声再生装置において、前記音声による案内は、次に操作すべきリモコンのボタンの名称を案内することにより行うことが望ましい。これにより、ユーザがリモコンからそのボタンを探し出す手助けとなる。
【００１１】
本発明を具体化すると、記録媒体を再生する記録媒体再生部と、リモコンからの信号を受信するリモコン受信部と、画像を出力する画像出力部と、音声を出力する音声出力部と、各部を制御する制御部と、制御に必要な情報を記憶するメモリとを備えた映像音声再生装置において、前記制御部は、キーワードの入力による操作テーマの検索機能を有し、前記検索機能が実行され、検索結果の一覧から何れかの操作テーマが選択された場合に、該操作テーマの操作手順を画像及び音声によって案内するように制御し、前記画像による案内は、リモコンを模した画像上で次に操作すべきボタンを点滅又は点灯させることにより行い、前記音声による案内は、次に操作すべきリモコンのボタンの名称を案内することにより行い、前記音声による案内を強制的にオン／オフ操作可能とする構成となる。
【発明の効果】
【００１２】
本発明によれば、キーワードによる検索から操作テーマを実行する際に、画像及び音声による案内を用いてユーザの操作を支援しているので、画面上の文字を読んだり、リモコンボタンの文字を読んだりするのが煩わしい人や老人など視力の悪い人にとっても、快適な操作性を実現することができる。
【発明を実施するための最良の形態】
【００１３】
以下、映像音声再生装置の一例として、ハードディスクドライブ（ＨＤＤ）一体型光ディスク装置を用いて説明する。図１は、ＨＤＤ一体型光ディスク装置１０の構成及びその周辺機器を示すブロック図である。ＨＤＤ一体型光ディスク装置１０には、テレビ等の表示装置１１と、ケーブルテレビや衛星放送等のセットトップボックス又はビデオデッキ等の映像音声記録再生装置に代表される外部装置１２とが接続されている。またＨＤＤ一体型光ディスク装置１０は、リモコン１３によって操作可能である。以下では、光ディスクとしてＤＶＤを例に説明する。
【００１４】
ＨＤＤ一体型光ディスク装置１０は、アンテナ１５で受信したテレビ放送信号を復調、デジタル化するチューナ１６と、チューナ１６や外部装置１２から受け取った画像音声データをＭＰＥＧ２等に準拠して圧縮符号化したり、ＨＤＤ記録再生部１８又はＤＶＤ記録再生部１９で再生された圧縮された画像データを伸長復号したりする画像音声圧縮伸長部１７と、画像音声圧縮伸長部１７から受け取った圧縮された画像音声データをＨＤＤに記録したり、ＨＤＤに記録されたデータを再生したりするＨＤＤ記録再生部１８と、画像音声圧縮伸長部１７から受け取った圧縮された画像音声データを挿入されたＤＶＤに記録したり、ＤＶＤに記録されたデータを再生したりするＤＶＤ記録再生部１９と、各種設定値や操作案内を表示装置１１の一部に表示しながら操作できるようにするＯＳＤ（On Screen Display）部２０と、ＯＳＤ部２０からの画像信号をアナログ化し、表示装置１１へ出力する画像出力部２１と、画像音声圧縮伸長部１７からの音声信号をアナログ化し、表示装置へ出力する音声出力部２２と、ＲＯＭやＲＡＭからなり、制御に必要な情報を記憶するメモリ２３と、リモコン１３からの信号を受信するリモコン受信部２４と、外部装置１２が接続される外部Ｉ／Ｆ２５と、ＨＤＤ一体型光ディスク装置１０の各部を制御する制御部２６とを備えている。
【００１５】
また、制御部２６は、キーワードの入力による操作テーマの検索機能を有し、検索機能が実行され、検索結果の一覧から何れかの操作テーマが選択された場合に、該操作テーマの操作手順を画像及び音声によって案内するように制御する。以下、この検索機能と操作手順の案内について説明する。
【００１６】
図２は、ＨＤＤ一体型光ディスク装置１０の動作を示すフローチャートである。このフローチャートは、ユーザが検索機能を使って所望の操作テーマを検索し、所望の操作テーマを選択し、該操作テーマの操作が完了するまでのＨＤＤ一体型光ディスク装置１０の動作を示している。
【００１７】
まず、ユーザによってリモコン１３のメニューボタン（不図示）が押下されると、ＨＤＤ一体型光ディスク装置１０はメニュー画面として各種設定や機能の一覧を表示装置１１へ表示させる。そしてユーザによってリモコン１３が操作されて検索機能の利用が選択されると、ステップＳ１０において制御部２６は、メモリ２３から検索機能に関する情報を読み出し、ＯＳＤ部２０及び画像出力部２１を介して検索キーワードの入力を受け付ける検索キーワード入力画面を表示装置１１に表示させる。図３に、検索キーワード入力画面の一例を示す。検索キーワード入力画面３０では、リモコン１３のテンキーを用いての文字入力を受け付けるボックス３１と、検索キーワードの入力を促すメッセージを表示している。
【００１８】
次にステップＳ１１へ進んで、キーワードの入力があったか否かを判別する。ステップＳ１１においてキーワードの入力があれば、ステップＳ１２へ進んで制御部２６はそのキーワードから導かれる複数の操作テーマをメモリ２３から読み出し、ステップＳ１３へ進んでＯＳＤ部２０及び画像出力部２１を介して検索結果一覧画面として表示装置１１に表示させる。
【００１９】
図４に、検索結果一覧画面の一例を示す。検索結果一覧画面４０では、検索キーワードとして「ハードディスク  録画」が入力された場合について示している。その場合、「ハードディスク」且つ「録画」に関する操作テーマが検索され、検索結果として、「ハードディスクへのリアルタイム録画」、「ハードディスクへの予約録画」などの操作テーマが一覧で表示される。表示された操作テーマは、カーソルを移動させて決定ボタンを押下することにより選択可能となっている。
【００２０】
次にステップＳ１４へ進んで検索結果一覧画面４０において操作テーマが選択されたか否かを判別する。ステップＳ１４においてユーザによってリモコン１３が操作され所望の操作テーマが選択されると、ステップＳ１５へ進んで選択された操作テーマの最初の操作手順を画像によって案内する。
【００２１】
画像による案内は、リモコン１３を模した画像上で次に操作すべきボタンを点滅又は点灯させることにより行う。図５に、画像案内画面の一例を示す。画像案内画面５０では、図４において「ハードディスクへのリアルタイム録画」が選択された場合について示している。画像案内画面５０は、操作の手順を説明するメッセージと、リモコン１３を模した画像上でＨＤＤボタン５１が点滅している画像とから構成されている。ユーザは点滅しているＨＤＤボタン５１の位置を参考にしてリモコン１３の同じ位置のボタンを探せばよいので、容易に探し出すことができる。なお、次のステップで音声案内するのでメッセージの表示は必ずしも必要ではない。
【００２２】
続いてステップＳ１６へ進んで選択された操作テーマの最初の操作手順を音声によって案内する。つまり、画像案内が表示されている間に音声案内を行う。音声による案内は、次に操作すべきリモコンのボタンの名称を案内することにより行う。例えば、図５に示したようなメッセージを音声出力すればよい。これにより、ユーザは目と耳から次にどの操作ボタンを押せばよいか教えられるので、容易に操作ができる。
【００２３】
次にステップＳ１７へ進んで、案内通りに操作されたか否かを判別する。図５の状態でユーザによりリモコン１３のＨＤＤボタンが押下された場合は、ステップＳ１８へ進んで操作が全て完了したか否かを判別する。現段階では操作が完了していないので、ステップＳ１５に戻り次の操作手順を画像によって案内する。
【００２４】
図６に、画像案内画面の一例を示す。画像案内画面６０は、操作の手順を説明するメッセージと、リモコン１３を模した画面上で録画ボタン６１が点滅している画像とから構成されている。なお、次のステップで音声案内するのでメッセージの表示は必ずしも必要ではない。
【００２５】
続いてステップＳ１６へ進んで選択された操作テーマの次の操作手順を音声によって案内する。例えば、図６に示したようなメッセージを音声出力すればよい。
【００２６】
その後、ユーザによりリモコン１３の録画ボタンが押下された場合は、ステップＳ１７を経てステップＳ１８に進む。この段階で必要な操作は全て完了しているので、ステップＳ１９へ進んで操作テーマであるハードディスクへのリアルタイム録画を開始する。そして、ステップＳ２０へ進んで、表示装置１１へ「正常に録画開始しました」など操作が完了したことを通知するメッセージを表示するとともに、音声でも出力する。
【００２７】
このように、上記の実施形態では、キーワード検索から操作テーマを実行する際に、画像及び音声による案内を用いてユーザの操作を支援している。したがって、画面上の文字を読んだり、リモコンボタンの文字を読んだりするのが煩わしい人や老人など視力の悪い人にとっても、快適な操作性を実現することができる。
【００２８】
なお、上記の実施形態では、音声による案内を操作テーマの選択以降で行っているが、ステップＳ１０の検索キーワードの入力を促す段階や、ステップＳ１３の検索結果一覧画面を表示する段階から音声による案内を行うようにしてもよい。そうすれば、より操作性が向上する。
【００２９】
また、音声による案内を強制的にオン／オフ操作可能としてもよい。具体的には、リモコン１３に音声案内ボタンを設け、押下する度に音声による案内をオン／オフさせるようにしたり、メニュー画面に音声案内という項目を設け、その項目を選択すれば音声案内のオン／オフを選択できるようにしたりすればよい。
【産業上の利用可能性】
【００３０】
本発明は、ＤＶＤプレーヤやビデオテーププレーヤなどの映像音声再生装置をはじめ、記録も可能なＤＶＤレコーダ、ＨＤＤレコーダ、ビデテープレコーダやそれらの複合機などに利用することができる。
【図面の簡単な説明】
【００３１】
【図１】ＨＤＤ一体型光ディスク装置の構成及びその周辺機器を示すブロック図である。
【図２】ＨＤＤ一体型光ディスク装置の動作を示すフローチャートである。
【図３】検索キーワード入力画面の一例を示す図である。
【図４】検索結果一覧画面の一例を示す図である。
【図５】画像案内画面の一例を示す図である。
【図６】画像案内画面の一例を示す図である。
【符号の説明】
【００３２】
１０    ＨＤＤ一体型光ディスク装置（映像音声再生装置）
１３    リモコン
１８    ＨＤＤ記録再生部（記録媒体再生部）
１９    ＤＶＤ記録再生部（記録媒体再生部）
２１    画像出力部
２２    音声出力部
２３    メモリ
２４    リモコン受信部
２６    制御部
【図１】
2008159213.tif 000003
【図２】
2008159213.tif 000004
【図３】
2008159213.tif 000005
【図４】
2008159213.tif 000006
【図５】
2008159213.tif 000007
【図６】
2008159213.tif 000008